(57)【要約】      （修正有）【課題】面光源装置の光漏れ発生を抑制する製造システム及び方法を提供する。【解決手段】面光源装置の製造システムは、第１貼付部と、第１撮像部と、算出部と、第２貼付部とを備える。第１貼付部は、プリズムシート１５と遮光テープ１６を貼り付け、第１撮像部は、プリズムシートが貼り付けられた遮光テープを遮光テープの厚み方向から撮像し、導光板１１を収容するフレーム１３をフレームの厚み方向から撮像する。算出部は、遮光テープの撮像データから遮光テープの輪郭点の座標及び中心点の座標を算出し、フレームの撮像データからフレームの輪郭点の座標及び中心点の座標を算出する。第２貼付部は、遮光テープ及びフレームの輪郭点の座標及び中心点の座標に基づいて遮光テープの位置及びフレームの位置の少なくとも一方を調整し、プリズムシートが貼り付けられた遮光テープとフレームとを貼り付ける。【選択図】図１
2019110027.tif 000002
【特許請求の範囲】
【請求項１】
プリズムシートと遮光テープを貼り付ける第１貼付部と、
前記プリズムシートが貼り付けられた前記遮光テープを前記遮光テープの厚み方向から撮像し、導光板の側面を囲うようにして前記導光板を収容するフレームを前記フレームの厚み方向から撮像する第１撮像部と、
前記プリズムシートが貼り付けられた前記遮光テープの撮像データから前記遮光テープの輪郭点の座標及び中心点の座標を算出し、前記フレームの撮像データから前記フレームの輪郭点の座標及び中心点の座標を算出する算出部と、
前記遮光テープの輪郭点の座標及び中心点の座標と前記フレームの輪郭点の座標及び中心点の座標とに基づいて前記プリズムシートが貼り付けられた前記遮光テープの位置及び前記フレームの位置の少なくとも一方を調整し、前記プリズムシートが貼り付けられた前記遮光テープと前記フレームを貼り付ける第２貼付部と、
を備える面光源装置の製造システム。
【請求項２】
前記プリズムシートを前記プリズムシートの厚み方向から撮像し、前記遮光テープを前記遮光テープの厚み方向から撮像する第２撮像部を備え、
前記算出部は、前記プリズムシートの撮像データから前記プリズムシートの輪郭点の座標及び中心点の座標を算出し、前記遮光テープの撮像データから前記遮光テープの輪郭点の座標及び中心点の座標を算出し、
前記第１貼付部は、前記プリズムシートの輪郭点の座標及び中心点の座標と前記遮光テープの中心点の座標及び輪郭点の座標とに基づいて、前記プリズムシートの位置及び前記遮光テープの位置の少なくとも一方を調整し、前記プリズムシートと前記遮光テープを貼り付ける、
請求項１に記載の製造システム。
【請求項３】
前記第２撮像部は、前記プリズムシートを撮像した後、前記プリズムシートと前記遮光テープとが重なるように前記遮光テープが配置された状態で前記遮光テープを撮像する、
請求項２に記載の製造システム。
【請求項４】
前記第２撮像部は、前記遮光テープを撮像した後、前記遮光テープと前記プリズムシートとが重なるように前記プリズムシートが配置された状態で前記プリズムシートを撮像する、
請求項２に記載の製造システム。
【請求項５】
前記第１撮像部は、前記フレームを撮像した後、前記プリズムシートが貼り付けられた前記遮光テープと前記フレームとが重なるように前記プリズムシートが貼り付けられた前記遮光テープが配置された状態で、前記プリズムシートが貼り付けられた前記遮光テープを撮像する、
請求項１から４の何れか一項に記載の製造システム。
【請求項６】
前記第１撮像部は、前記プリズムシートが貼り付けられた前記遮光テープを撮像した後、前記プリズムシートが貼り付けられた前記遮光テープと前記フレームとが重なるように前記フレームが配置された状態で、前記フレームを撮像する、
請求項１から４の何れか一項に記載の製造システム。
【請求項７】
プリズムシートと遮光テープを貼り付ける第１貼付工程と、
前記プリズムシートが貼り付けられた前記遮光テープを前記遮光テープの厚み方向から撮像し、導光板の側面を囲うようにして前記導光板を収容するフレームを前記フレームの厚み方向から撮像する撮像工程と、
前記プリズムシートが貼り付けられた前記遮光テープの撮像データから前記遮光テープの輪郭点の座標及び中心点の座標を算出し、前記フレームの撮像データから前記フレームの輪郭点の座標及び中心点の座標を算出する算出工程と、
前記遮光テープの輪郭点の座標及び中心点の座標と前記フレームの輪郭点の座標及び中心点の座標とに基づいて前記プリズムシートが貼り付けられた前記遮光テープの位置及び前記フレームの位置の少なくとも一方を調整し、前記プリズムシートが貼り付けられた前記遮光テープと前記フレームと貼り付ける第２貼付工程と、
を備える面光源装置の製造方法。
【発明の詳細な説明】
【技術分野】
【０００１】
本発明は、面光源装置の製造システム及び面光源装置の製造方法に関する。
【背景技術】
【０００２】
近年、電子機器の小型化、薄型化が進んでいる。このような電子機器に搭載される液晶表示装置には、同一の面積でより大きな表示領域を得るための狭額縁化や、薄型化のニーズがある。表示装置のバックライトには、例えば、白色光を出射するＬＥＤ（Light Emitting Diode）を光源とし、導光板（ライトガイドとも呼ばれる）を用いたサイドライトタイプ（エッジライト方式とも呼ばれる）の面光源装置が用いられている。図１２は、面光源装置１１０の製造方法の一例を示す図である。まず、フレーム１０１の内部に導光板１０２及び光源１０３を配置し、導光板１０２の出光面（上面）に拡散シート１０４を載置する。拡散シート１０４上にプリズムシート１０５を載置した後、フレーム１０１及びプリズムシート１０５に遮光両面テープ１０６を貼付することで、面光源装置１１０が製造される。液晶表示素子の製造において、画像処理を用いて２枚の基板の位置合わせを行うことが提案されている（特許文献１参照）。アライメントカメラを用いて、液晶パネル及び貼合シートのアライメントを行うことが提案されている（特許文献２参照）。
【先行技術文献】
【特許文献】
【０００３】
【特許文献１】特開平９−１２７５４６号公報
【特許文献２】国際公開第２０１３／１２９２５６号公報
【発明の概要】
【発明が解決しようとする課題】
【０００４】
図１３は、面光源装置１１０の断面図である。導光板１０２の下面に反射シート１０７が配置されている。図１３では、２枚のプリズムシート１０５が拡散シート１０４に貼付されている。図１３に示すように、フレーム１０１の幅Ｗ１及び遮光両面テープ１０６の幅Ｗ２が大きい場合、プリズムシート１０５を載せる位置が多少ずれたり、遮光両面テープ１０６を貼付する位置が多少ずれたりしても、面光源装置１１０における光漏れは発生しない。図１４は、面光源装置１１０の断面図である。図１４では、１枚のプリズムシート１０５が拡散シート１０４に貼付されている。図１４に示すように、近年の狭額縁化のニーズにより、フレーム１０１の幅Ｗ１及び遮光両面テープ１０６の幅Ｗ２が小さくなっている。そのため、プリズムシート１０５を載せる位置がずれた場合や遮光両面テープ１０６を貼付する位置がずれた場合、面光源装置１１０における光漏れが発生する可能性がある。
【０００５】
このような状況に鑑み、本発明は、面光源装置における光漏れの発生を抑制することを目的とする。
【課題を解決するための手段】
【０００６】
本発明では、上記課題を解決するために、以下の手段を採用した。すなわち、本発明は、プリズムシートと遮光テープを貼り付ける第１貼付部と、プリズムシートが貼り付けられた遮光テープを遮光テープの厚み方向から撮像し、導光板の側面を囲うようにして導光板を収容するフレームをフレームの厚み方向から撮像する第１撮像部と、プリズムシートが貼り付けられた遮光テープの撮像データから遮光テープの輪郭点の座標及び中心点の座標を算出し、フレームの撮像データからフレームの輪郭点の座標及び中心点の座標を算出する算出部と、遮光テープの輪郭点の座標及び中心点の座標とフレームの輪郭点の座標及
び中心点の座標とに基づいてプリズムシートが貼り付けられた遮光テープの位置及びフレームの位置の少なくとも一方を調整し、プリズムシートが貼り付けられた遮光テープとフレームを貼り付ける第２貼付部と、を備える面光源装置の製造システムである。
【０００７】
本発明に係る面光源装置の製造システムでは、プリズムシートと遮光両面テープを貼り付けた後、プリズムシートが貼り付けられた遮光両面テープとフレームを貼り付ける。本発明に係る面光源装置の製造システムでは、遮光テープの輪郭点の座標及び中心点の座標とフレームの輪郭点の座標及び中心点の座標とに基づいてプリズムシートが貼り付けられた遮光テープの位置及びフレームの位置の少なくとも一方を調整し、プリズムシートが貼り付けられた遮光テープとフレームを貼り付ける。したがって、フレームと遮光両面テープとの貼り合わせ精度が向上する。フレームの幅が小さい場合や、遮光両面テープの幅が小さい場合であっても、遮光両面テープとフレームを高い精度で貼り付けることが可能である。遮光両面テープとフレームを貼り付ける位置のずれが抑制されるため、面光源装置１における光漏れの発生を抑制することができる。
【０００８】
本発明に係る面光源装置の製造システムは、プリズムシートをプリズムシートの厚み方向から撮像し、遮光テープを遮光テープの厚み方向から撮像する第２撮像部を備え、算出部は、プリズムシートの撮像データからプリズムシートの輪郭点の座標及び中心点の座標を算出し、遮光テープの撮像データから遮光テープの輪郭点の座標及び中心点の座標を算出し、第１貼付部は、プリズムシートの輪郭点の座標及び中心点の座標と遮光テープの中心点の座標及び輪郭点の座標とに基づいてプリズムシート及び遮光テープの位置の少なくとも一方を調整し、プリズムシートを遮光テープに貼り付けてもよい。
【０００９】
本発明に係る面光源装置の製造システムにおいて、第２撮像部は、遮光テープを撮像した後、遮光テープとプリズムシートとが重なるようにプリズムシートが配置された状態でプリズムシートを撮像してもよい。本発明に係る面光源装置の製造システムにおいて、第２撮像部は、遮光テープを撮像した後、遮光テープとプリズムシートとが重なるようにプリズムシートが配置された状態でプリズムシートを撮像してもよい。
【００１０】
本発明に係る面光源装置の製造システムにおいて、第１撮像部は、フレームを撮像した後、プリズムシートが貼り付けられた遮光テープとフレームとが重なるようにプリズムシートが貼り付けられた遮光テープが配置された状態で、プリズムシートが貼り付けられた遮光テープを撮像してもよい。本発明に係る面光源装置の製造システムにおいて、第１撮像部は、プリズムシートが貼り付けられた遮光テープを撮像した後、プリズムシートが貼り付けられた遮光テープとフレームとが重なるようにフレームが配置された状態で、フレームを撮像してもよい。
【００１１】
また、本発明は、プリズムシートと遮光テープを貼り付ける第１貼付工程と、プリズムシートが貼り付けられた遮光テープを遮光テープの厚み方向から撮像し、導光板の側面を囲うようにして導光板を収容するフレームをフレームの厚み方向から撮像する撮像工程と、プリズムシートが貼り付けられた遮光テープの撮像データから遮光テープの輪郭点の座標及び中心点の座標を算出し、フレームの撮像データからフレームの輪郭点の座標及び中心点の座標を算出する算出工程と、遮光テープの輪郭点の座標及び中心点の座標とフレームの輪郭点の座標及び中心点の座標とに基づいてプリズムシートが貼り付けられた遮光テープの位置及びフレームの位置の少なくとも一方を調整し、プリズムシートが貼り付けられた遮光テープとフレームを貼り付ける第２貼付工程と、を備える面光源装置の製造方法である。
【発明の効果】
【００１２】
本発明によれば、面光源装置における光漏れの発生を抑制することができる。
【図面の簡単な説明】
【００１３】
【図１】図１は、実施形態に係る製造システムの一例を示す図である。
【図２】図２は、実施形態に係る液晶表示装置の構成を例示する斜視図である。
【図３】図３は、実施形態に係る面光源装置の構成を例示する斜視図である。
【図４】図４は、実施形態に係る製造システムの一例を示す構成図である。
【図５】図５は、プリズムシートを遮光両面テープに貼り付ける工程の説明図である。
【図６】図６は、プリズムシートの平面図である。
【図７】図７は、プリズムシートの平面図である。
【図８】図８は、プリズムシートを遮光両面テープに貼り付ける工程の説明図である。
【図９】図９は、プリズムシートが貼り付けられた遮光両面テープをフレームに貼り付ける工程の説明図である。
【図１０】図１０は、プリズムシートが貼り付けられた遮光両面テープをフレームに貼り付ける工程の説明図である。
【図１１】図１１は、実施形態に係る面光源装置を例示する平面図である。
【図１２】図１２は、面光源装置の製造方法の一例を示す図である。
【図１３】図１３は、面光源装置の断面図である。
【図１４】図１４は、面光源装置の断面図である。
【発明を実施するための形態】
【００１４】
以下、本発明の実施の形態を、図面に基づいて説明する。なお、以下に説明する実施の形態は、本発明を実施する一例を示すものであって、本発明を以下に説明する具体的な構成に限定するものではない。
【００１５】
以下の実施形態では、「表示装置」は、液晶表示装置として説明され、「面光源装置」は、液晶表示装置のバックライトユニットとして説明される。なお、「面光源装置」は、表示パネルや電子ペーパによる表示装置の前面に配置されるフロントライト等、バックライトユニット以外の用途で利用されてもよい。
【００１６】
〈適用例〉
図１は、実施形態に係る製造システムの一例を示す図である。図１の点線Ａに示す工程について説明する。図１の点線Ａに示す工程では、プリズムシート１５及び遮光両面テープ１６を配置すると共に、プリズムシート１５及び遮光両面テープ１６を撮像する。プリズムシート１５を配置して、プリズムシート１５を撮像した後、遮光両面テープ１６を配置して、遮光両面テープ１６を撮像してもよい。遮光両面テープ１６を配置して、遮光両面テープ１６を撮像した後、プリズムシート１５を配置して、プリズムシート１５を撮像してもよい。次に、プリズムシート１５の撮像データ及び遮光両面テープ１６の撮像データに基づいて、プリズムシート１５の位置及び遮光両面テープ１６の位置の少なくとも一方を調整して、プリズムシート１５と遮光両面テープ１６を貼り付ける。遮光両面テープ１６は、遮光テープの一例である。
【００１７】
図１の点線Ｂに示す工程について説明する。図１の点線Ｂに示す工程の前に、導光板１１と、光源１２と、導光板１１の側面を囲むフレーム１３とが配置され、導光板１１の出光面上に拡散シート１４が載置される。図１の点線Ｂに示す工程では、フレーム１３と、プリズムシート１５が貼り付けられた遮光両面テープ１６とを配置すると共に、フレーム１３と、プリズムシート１５が貼り付けられた遮光両面テープ１６とを撮像する。フレーム１３を配置して、フレーム１３を撮像した後、プリズムシート１５が貼り付けられた遮光両面テープ１６を配置して、プリズムシート１５が貼り付けられた遮光両面テープ１６
を撮像してもよい。プリズムシート１５が貼り付けられた遮光両面テープ１６を配置して、プリズムシート１５が貼り付けられた遮光両面テープ１６を撮像した後、フレーム１３を配置して、フレーム１３を撮像してもよい。次に、フレーム１３の撮像データ及びプリズムシート１５が貼り付けられた遮光両面テープ１６の撮像データに基づいて、フレーム１３の位置及び遮光両面テープ１６の位置の少なくとも一方を調整して、フレーム１３と遮光両面テープ１６を貼り付ける。フレーム１３と遮光両面テープ１６を貼り付けることにより、面光源装置１が製造される。
【００１８】
図１に示すように、プリズムシート１５と遮光両面テープ１６を貼り付ける工程を行った後、フレーム１３と遮光両面テープ１６を貼り付ける工程を行っている。すなわち、プリズムシート１５と遮光両面テープ１６を貼り付ける工程と、フレーム１３と遮光両面テープ１６を貼り付ける工程とが別工程である。プリズムシート１５の位置及び遮光両面テープ１６の位置の少なくとも一方を調整して、プリズムシート１５と遮光両面テープ１６を貼り付けるため、プリズムシート１５と遮光両面テープ１６との貼り合わせ精度が向上する。フレーム１３の位置及び遮光両面テープ１６の位置の少なくとも一方を調整して、フレーム１３と遮光両面テープ１６を貼り付けるため、フレーム１３と遮光両面テープ１６との貼り合わせ精度が向上する。また、プリズムシート１５と遮光両面テープ１６を貼り付ける工程を行った後、フレーム１３と遮光両面テープ１６を貼り付ける工程を行う。そのため、フレーム１３と遮光両面テープ１６を貼り付けることで、拡散シート１４上にプリズムシート１５が載置される。したがって、拡散シート１４上にプリズムシート１５を載せる位置の精度が向上する。
【００１９】
実施形態によれば、拡散シート１４上にプリズムシート１５を載せる位置のずれが抑制されると共に、遮光両面テープ１６を貼り付ける位置のずれが抑制されるため、面光源装置１における光漏れの発生を抑制することができる。
【００２０】
（液晶表示装置の構成）
図２は、実施形態に係る液晶表示装置の構成を例示する斜視図である。図２に示すように、液晶表示装置は、バックライトユニットとして配置される面光源装置１と、面光源装置１から出射される光を受ける表示パネル２とを備える。表示パネル２は、ガラス板に挟まれて封入された液晶に電圧をかけて光の透過率を増減等させることで、像を表示する。以下、面光源装置１における、表示パネル２側を上面側として、その反対面側を下面側として説明することがある。更に、このような液晶表示装置は、各種の電子機器に搭載することができる。このような液晶表示装置を備えた電子機器として、スマートフォン、デジタルカメラ、タブレット端末、電子ブック、ウェアラブル機器、カーナビゲーション装置、電子辞書、電子広告板等を例示できる。
【００２１】
（面光源装置１の構成）
図３は、実施形態に係る面光源装置１の構成を例示する斜視図である。実施形態に係る面光源装置１は、導光板１１、光源１２、フレーム１３、フレキシブルプリント基板（以下、「ＦＰＣ」とも表記する）１７及び固定部材１８を備える。また、面光源装置１は、導光板１１の出光面側（上面側）に順に積層される拡散シート１４、プリズムシート１５及び遮光両面テープ１６と、導光板１１の下面側に配置される反射シート１９とを備える。
【００２２】
導光板１１は、概略平板状であり、ポリカーボネート樹脂やポリメチルメタクリレート樹脂等の透光性の素材で形成されている。導光板１１の上面は、光が出射する出光面であり、表示パネル２と向かい合う面である。導光板１１は、光源１２から導光板１１内に入射された光を出光面に導き、出光面の全体又は一部分が光る。導光板１１は、導光板本体と、導光板本体の高さよりも高い光導入部とを備えてもよい。光源１２から出射された光
が、光導入部から導光板本体内に効率よく入射し、導光板１１の光利用効率が向上する。導光板本体が光導入部よりも薄いことで、面光源装置１の薄型化が向上し、面光源装置１を備える液晶表示装置の薄型化が向上する。ただし、実施形態に係る導光板１１は、光導入部を有しない平板形状であってもよい。
【００２３】
光源１２は、白色光を蛍光部から出射する。光源１２は、例えば、ＬＥＤパッケージであるが、ＬＥＤパッケージ以外の光源が用いられてもよい。光源１２は、発光素子であるＬＥＤチップが蛍光体を含む透光性樹脂（樹脂層）で封止されて形成されている。若しくは、ＬＥＤチップ上に蛍光体を配置せずに、導光板１１の出光面上に蛍光体層を配置してもよいし、反射シート１９上に蛍光体層を配置してもよい。光源１２は、ＦＰＣ１７からの給電を受けて駆動し、点灯する。なお、光源１２として、白色以外のＬＥＤ光源が用いられてもよい。光源１２は、導光板１１の入光面と対向する位置に配置されている。例えば、光源１２の発光面が、導光板１１の入光面と対向するようにして、光源１２がＦＰＣ１７に実装されている。ＦＰＣ１７に複数の光源１２が一定の間隔で一列に実装されてもよい。
【００２４】
フレーム１３は、導光板１１、光源１２、拡散シート１４、プリズムシート１５、ＦＰＣ１７、固定部材１８及び反射シート１９を収容する。フレーム１３は、導光板１１の側面を囲む枠体（枠状部材）であってもよいし、導光板１１の側面を囲む枠体と、枠体が立設された底板とを有する箱体（箱状部材）であってもよい。枠体は、４辺の側壁部材、開口を有する円形の側壁部材又は開口を有する楕円形の側壁部材によって形成されていてもよい。また、枠体の４辺の側壁部材のコーナー部分が直角形状であってもよいし、枠体の４辺の側壁部材のコーナー部分がＲ形状であってもよい。フレーム１３は、これらの例に限定されず、他の形状であってもよい。
【００２５】
導光板１１の出光面上に拡散シート１４が配置され、拡散シート１４上に１枚又は２枚のプリズムシート１５が配置される。拡散シート１４は、半透明な樹脂フィルムであり、導光板１１の出光面から出射された光を拡散させて光の指向特性を広げる。プリズムシート１５は、上面に三角プリズム状の微細なパターンが形成された透明な樹脂フィルムであり、拡散シート１４によって拡散された光を集光し、面光源装置１を上面側から見た場合の輝度を上昇させる。プリズムシート１５は、プリズムシート１５の上面の法線方向から見て、四角形状であってもよいし、Ｒ形状の角を有する四角形状であってもよい。プリズムシート１５は、これらの例に限定されず、他の形状であってもよい。遮光両面テープ１６は、上下両面が粘着面となった黒色の粘着テープである。遮光両面テープ１６は、開口を有する額縁形状（リング形状）であってもよい。遮光両面テープ１６は、フレーム１３の外周部分に沿って配置され、面光源装置１の外部に光が漏れ出ることを抑制する。また、遮光両面テープ１６は、複数の部材で構成されてもよい。例えば、遮光両面テープ１６は、２つの部材を有し、２つの部材が対向するようにして、フレーム１３の外周部分に沿って配置されてもよい。遮光両面テープ１６は、これらの例に限定されず、遮光両面テープ１６は、他の形状であってもよい。
【００２６】
ＦＰＣ１７は、可撓性のある絶縁性フィルムである基材に、導体箔によって配線を設け、表面に保護用の絶縁性フィルムであるカバーレイ又はレジン（感光性樹脂）を接着させて構成される配線基板である。ＦＰＣ１７に配線が設けられている。ＦＰＣ１７の配線は、光源１２への電力供給等に用いられる。固定部材１８は、ＦＰＣ１７の下面等に配置され、ＦＰＣ１７を導光板１１に固定する。固定部材１８は、例えば、上下面が粘着面となった両面粘着テープである。
【００２７】
反射シート１９は、導光板１１の下面と接するようにして配置され、接着層を介してフレーム１３に貼り付けられている。導光板１１の下面は、導光板１１の上面の反対側の面
である。反射シート１９は、多層膜構造を有する高反射フィルムまたは反射率の高い白色樹脂シートや金属箔等からなる平滑なシートであり、導光板１１内の光が面光源装置１の下面から漏れないように光を反射する。フレーム１３が、枠体及び底板を有する箱体である場合、反射シート１９は、導光板１１とフレーム１３の底板との間に配置される。
【００２８】
図４は、実施形態に係る製造システム２０の一例を示す構成図である。製造システム２０は、貼付部２１と、撮像部２２と、貼付部２３と、撮像部２４と、制御部２５と、記憶部２６とを備える。貼付部２１は、プリズムシート１５を把持する機構と、遮光両面テープ１６を把持する機構とを有し、プリズムシート１５と遮光両面テープ１６を貼り付ける。貼付部２１は、第１貼付部の一例である。撮像部２２は、１台又は複数台のカメラを有する。撮像部２２は、プリズムシート１５を撮像すると共に、遮光両面テープ１６を撮像する。撮像部２２は、第２撮像部の一例である。貼付部２３は、フレーム１３を把持する機構と、プリズムシート１５が貼り付けられた遮光両面テープ１６を把持する機構とを有し、プリズムシート１５が貼り付けられた遮光両面テープ１６とフレーム１３を貼り付ける。貼付部２３は、第２貼付部の一例である。撮像部２４は、１つ又は複数のカメラを有する。撮像部２４は、フレーム１３を撮像すると共に、プリズムシート１５が貼り付けられた遮光両面テープ１６を撮像する。撮像部２４は、第１撮像部の一例である。
【００２９】
制御部２５は、ＣＰＵ（Central Processing Unit）、ＭＰＵ（Micro Processing Unit）等のプロセッサを有する。制御部２５は、１つのＣＰＵ又はＭＰＵで構成されてもよいし、複数のＣＰＵ及び複数のＭＰＵが組み合わされて構成されてもよい。ＣＰＵ及びＭＰＵは、単一のプロセッサに限定される訳ではなく、マルチプロセッサ構成であってもよい。制御部２５は、記憶部２６に実行可能に展開されたコンピュータプログラムにしたがって、各種の処理を実行する。記憶部２６は、ＲＡＭ（Random Access Memory）、ＲＯＭ（Read Only Memory）等のメモリを有する。記憶部２６には、撮像部２２、２４によって撮像された撮像データや、制御部２５によって実行された処理で得られたデータ等が記憶又は一時保存される。制御部２５と記憶部２６とが一体化されていてもよい。また、複数の制御部２５の其々が、貼付部２１及び貼付部２３に接続されていてもよいし、貼付部２１及び貼付部２３の其々が制御部２５を有していてもよい。制御部２５は、算出部の一例である。
【００３０】
図５は、プリズムシート１５と遮光両面テープ１６を貼り付ける工程の説明図である。図５の工程（Ａ１）〜工程（Ａ３）では、プリズムシート１５の位置の調整を行った後、遮光両面テープ１６の位置の調整を行い、プリズムシート１５と遮光両面テープ１６を貼り付ける。図５に示す例では、撮像部２２が複数のカメラ３１を有する。図５の工程（Ａ１）において、貼付部２１は、プリズムシート１５を把持した状態で、プリズムシート１５を所定位置に配置し、カメラ３１は、プリズムシート１５をプリズムシート１５の厚み方向から撮像する。図５に示す例では、カメラ３１は、プリズムシート１５をプリズムシート１５の上面側から撮像する。プリズムシート１５の上面は、プリズムシート１５における遮光両面テープ１６との接触面である。カメラ３１によって撮像されたプリズムシート１５の撮像データは、記憶部２６に記憶される。例えば、平面視で（プリズムシート１５の上面の法線方向から見て）、プリズムシート１５が四角形である場合、４台のカメラ３１がプリズムシート１５の４隅を含む領域のそれぞれを撮像してもよい。図５に示す例に限らず、１台のカメラ３１がプリズムシート１５を撮像してもよい。
【００３１】
制御部２５は、記憶部２６からプリズムシート１５の撮像データを取得し、プリズムシート１５の形状に応じて、プリズムシート１５の輪郭点の座標を算出する。例えば、平面視で、プリズムシート１５が四角形である場合、プリズムシート１５の輪郭点の座標は、四角形の各頂点の座標であってもよい。制御部２５は、プリズムシート１５の輪郭点の座標からプリズムシート１５の中心点の座標を算出する。制御部２５は、プリズムシート１
５の複数の輪郭点の座標の平均値をプリズムシート１５の中心点の座標として算出してもよい。例えば、平面視で、プリズムシート１５が四角形である場合、プリズムシート１５の中心点の座標は、四角形の各頂点の座標の平均値であってもよい。記憶部２６には、プリズムシート１５の基準輪郭点の座標と、プリズムシート１５の基準中心点の座標とが予め記憶されている。プリズムシート１５の基準輪郭点の座標及び基準中心点の座標は、プリズムシート１５を所定位置に正確に配置するための座標である。貼付部２１は、プリズムシート１５の中心点の座標とプリズムシート１５の基準中心点の座標とが一致するように、プリズムシート１５の中心点の位置を調整する。貼付部２１は、プリズムシート１５をプリズムシート１５の平面方向に動かすことにより、プリズムシート１５の中心点の位置を調整する。貼付部２１は、プリズムシート１５の輪郭点の座標とプリズムシート１５の基準輪郭点の座標とが一致するように、プリズムシート１５の輪郭点の位置を調整する。貼付部２１は、プリズムシート１５をプリズムシート１５の平面方向に動かすことにより、プリズムシート１５の輪郭点の位置を調整する。プリズムシート１５の平面方向は、プリズムシート１５の厚み方向と直交する。
【００３２】
図６及び図７を参照して、プリズムシート１５の輪郭点の位置の調整の一例について説明する。図６及び図７は、プリズムシート１５の平面図である。図６には、プリズムシート１５の中心点の座標（Ｘ１，Ｙ１）及びプリズムシート１５の輪郭点の座標（Ｘ２，Ｙ２）が示されている。制御部２５は、プリズムシート１５の中心点の座標（Ｘ１，Ｙ１）及びプリズムシート１５の輪郭点の座標（Ｘ２，Ｙ２）を結ぶ線Ｌ１と、プリズムシート１５の輪郭線Ｌ２とでなす角度（θ１）を算出する。図７には、プリズムシート１５の基準中心点の座標（Ｘ３，Ｙ３）及びプリズムシート１５の基準輪郭点の座標（Ｘ４，Ｙ４）が示されている。制御部２５は、プリズムシート１５の基準中心点の座標（Ｘ３，Ｙ３）及びプリズムシート１５の基準輪郭点の座標（Ｘ４，Ｙ４）を結ぶ線Ｌ３と、プリズムシート１５の基準輪郭線Ｌ４とでなす角度（θ２）を算出する。貼付部２１、角度（θ１）と角度（θ２）とが一致するように、プリズムシート１５の輪郭点の位置を調整する。
【００３３】
プリズムシート１５の中心点の位置及び輪郭点の位置が調整された後、カメラ３１は、プリズムシート１５を撮像し、制御部２５は、プリズムシート１５の輪郭点の座標及び中心点の座標を算出する。制御部２５は、プリズムシート１５の輪郭点の座標とプリズムシート１５の基準輪郭点の座標とが一致しているか否かを判定する。制御部２５は、プリズムシート１５の中心点の座標とプリズムシート１５の基準中心点の座標とが一致しているか否かを判定する。プリズムシート１５の輪郭点の座標とプリズムシート１５の基準輪郭点の座標とが一致しており、かつ、プリズムシート１５の中心点の座標とプリズムシート１５の基準中心点の座標とが一致している場合、図５の工程（Ａ２）に進む。一方、プリズムシート１５の輪郭点の座標とプリズムシート１５の基準輪郭点の座標とが一致していない場合や、プリズムシート１５の中心点の座標とプリズムシート１５の基準中心点の座標とが一致していない場合、貼付部２１は、プリズムシート１５の中心点の位置及び輪郭点の位置を再調整する。このように、プリズムシート１５の輪郭点の座標とプリズムシート１５の基準輪郭点の座標とが一致しており、かつ、プリズムシート１５の中心点の座標とプリズムシート１５の基準中心点の座標とが一致するまで、プリズムシート１５の撮像及び位置の調整が繰り返される。
【００３４】
プリズムシート１５の輪郭点の座標とプリズムシート１５の基準輪郭点の座標との一致度に対して許容範囲を設けてもよい。例えば、制御部２５は、プリズムシート１５の中心点の座標とプリズムシート１５の基準中心点の座標とが一致又は近似しているか否かを判定してもよい。プリズムシート１５の中心点の座標とプリズムシート１５の基準中心点の座標との一致度に対して許容範囲を設けてもよい。例えば、制御部２５は、プリズムシート１５の中心点の座標とプリズムシート１５の基準中心点の座標とが一致又は近似しているか否かを判定してもよい。この場合、プリズムシート１５の輪郭点の座標とプリズムシ
ート１５の基準輪郭点の座標とが一致又は近似しており、かつ、プリズムシート１５の中心点の座標とプリズムシート１５の基準中心点の座標とが一致又は近似するまで、プリズムシート１５の撮像及び位置の調整が繰り返される。
【００３５】
図５の工程（Ａ２）において、貼付部２１は、遮光両面テープ１６を把持した状態で、遮光両面テープ１６を所定位置に配置し、カメラ３１は、遮光両面テープ１６を遮光両面テープ１６の厚み方向から撮像する。図５に示す例では、プリズムシート１５と遮光両面テープ１６とが重なるように遮光両面テープ１６が配置される。図５に示す例では、カメラ３１は、遮光両面テープ１６を遮光両面テープ１６の上面側から撮像する。遮光両面テープ１６の上面は、遮光両面テープ１６におけるプリズムシート１５との接触面の反対面である。カメラ３１によって撮像された遮光両面テープ１６の撮像データは、記憶部２６に記憶される。
【００３６】
制御部２５は、記憶部２６から遮光両面テープ１６の撮像データを取得し、遮光両面テープ１６の形状に応じて、遮光両面テープ１６の輪郭点の座標を算出する。例えば、平面視で（遮光両面テープ１６の上面の法線方向から見て）、遮光両面テープ１６が四角形の開口を有する額縁形状である場合、遮光両面テープ１６の輪郭点の座標は、遮光両面テープ１６の開口における四角形の各頂点の座標であってもよい。制御部２５は、遮光両面テープ１６の輪郭点の座標から遮光両面テープ１６の中心点の座標を算出する。制御部２５は、遮光両面テープ１６の複数の輪郭点の座標の平均値を遮光両面テープ１６の中心点の座標として算出してもよい。例えば、平面視で、遮光両面テープ１６が四角形の開口を有する額縁形状である場合、遮光両面テープ１６の中心点の座標は、遮光両面テープ１６の開口における四角形の各頂点の座標の平均値であってもよい。
【００３７】
記憶部２６には、遮光両面テープ１６の基準輪郭点の座標と、遮光両面テープ１６の基準中心点の座標とが予め記憶されている。遮光両面テープ１６の基準輪郭点の座標及び基準中心点の座標は、遮光両面テープ１６を所定位置に正確に配置するための座標である。貼付部２１は、遮光両面テープ１６の中心点の座標と遮光両面テープ１６の基準中心点の座標とが一致するように、遮光両面テープ１６の中心点の位置を調整する。貼付部２１は、遮光両面テープ１６を遮光両面テープ１６の平面方向に動かすことにより、遮光両面テープ１６の中心点の位置を調整する。貼付部２１は、遮光両面テープ１６の輪郭点の座標と遮光両面テープ１６の基準輪郭点の座標とが一致するように、遮光両面テープ１６の輪郭点の位置を調整する。貼付部２１は、遮光両面テープ１６を遮光両面テープ１６の平面方向に動かすことにより、遮光両面テープ１６の輪郭点の位置を調整する。遮光両面テープ１６の平面方向は、遮光両面テープ１６の厚み方向と直交する。図６及び図７に示すプリズムシート１５の輪郭点の位置の調整と同様の方法によって、遮光両面テープ１６の輪郭点の位置を調整してもよい。
【００３８】
遮光両面テープ１６の中心点の位置及び輪郭点の位置が調整された後、カメラ３１は、遮光両面テープ１６を撮像し、制御部２５は、遮光両面テープ１６の輪郭点の座標及び中心点の座標を算出する。制御部２５は、遮光両面テープ１６の輪郭点の座標と遮光両面テープ１６の基準輪郭点の座標とが一致しているか否かを判定する。制御部２５は、遮光両面テープ１６の中心点の座標と遮光両面テープ１６の基準中心点の座標とが一致しているか否かを判定する。遮光両面テープ１６の輪郭点の座標と遮光両面テープ１６の基準輪郭点の座標とが一致しており、かつ、遮光両面テープ１６の中心点の座標と遮光両面テープ１６の基準中心点の座標とが一致している場合、図５の工程（Ａ３）に進む。一方、遮光両面テープ１６の輪郭点の座標と遮光両面テープ１６の基準輪郭点の座標とが一致していない場合や、遮光両面テープ１６の中心点の座標と遮光両面テープ１６の基準中心点の座標とが一致していない場合、貼付部２１は、遮光両面テープ１６の中心点の位置及び輪郭点の位置を再調整する。このように、遮光両面テープ１６の輪郭点の座標と遮光両面テー
プ１６の基準輪郭点の座標とが一致しており、かつ、遮光両面テープ１６の中心点の座標と遮光両面テープ１６の基準中心点の座標とが一致するまで、遮光両面テープ１６の撮像及び位置の調整が繰り返される。
【００３９】
遮光両面テープ１６の輪郭点の座標と遮光両面テープ１６の基準輪郭点の座標との一致度に対して許容範囲を設けてもよい。例えば、制御部２５は、遮光両面テープ１６の中心点の座標と遮光両面テープ１６の基準中心点の座標とが一致又は近似しているか否かを判定してもよい。遮光両面テープ１６の中心点の座標と遮光両面テープ１６の基準中心点の座標との一致度に対して許容範囲を設けてもよい。例えば、制御部２５は、遮光両面テープ１６の中心点の座標と遮光両面テープ１６の基準中心点の座標とが一致又は近似しているか否かを判定してもよい。この場合、遮光両面テープ１６の輪郭点の座標と遮光両面テープ１６の基準輪郭点の座標とが一致又は近似しており、かつ、遮光両面テープ１６の中心点の座標と遮光両面テープ１６の基準中心点の座標とが一致又は近似するまで、遮光両面テープ１６の撮像及び位置の調整が繰り返される。
【００４０】
図５の工程（Ａ３）において、貼付部２１は、プリズムシート１５の厚み方向へのプリズムシート１５の移動及び遮光両面テープ１６の厚み方向への遮光両面テープ１６の移動の少なくとも一方を行うことにより、プリズムシート１５と遮光両面テープ１６を貼り付ける。例えば、貼付部２１は、プリズムシート１５の厚み方向において、プリズムシート１５を遮光両面テープ１６に近づけることにより、プリズムシート１５と遮光両面テープ１６を貼り付けてもよい。例えば、貼付部２１は、遮光両面テープ１６の厚み方向において、遮光両面テープ１６をプリズムシート１５に近づけることにより、プリズムシート１５と遮光両面テープ１６を貼り付けてもよい。
【００４１】
図５の工程（Ａ１）〜工程（Ａ３）によれば、プリズムシート１５の位置及び遮光両面テープ１６の位置を調整して、プリズムシート１５と遮光両面テープ１６を貼り付けるため、プリズムシート１５と遮光両面テープ１６との貼り合わせ精度が向上する。これにより、遮光両面テープ１６の幅が小さい場合であっても、プリズムシート１５と遮光両面テープ１６を高い精度で貼り付けることが可能であり、プリズムシート１５と遮光両面テープ１６を貼り付ける位置のずれが抑制され、面光源装置１における光漏れの発生が抑制される。
【００４２】
図５を参照して、プリズムシート１５の位置及び遮光両面テープ１６の位置を調整して、プリズムシート１５と遮光両面テープ１６を貼り付ける例を説明した。この例に限定されず、遮光両面テープ１６の位置を調整して、プリズムシート１５と遮光両面テープ１６を貼り付けてもよい。以下、遮光両面テープ１６の位置を調整して、プリズムシート１５と遮光両面テープ１６を貼り付ける例について説明する。図５の工程（Ａ１）において、制御部２５は、プリズムシート１５の輪郭点の座標及び中心点の座標を算出し、算出した各座標をプリズムシート１５の基準輪郭点の座標及び基準中心点の座標として記憶部２６に記憶する。図５の工程（Ａ１）の他の点については、上記と同様である。
【００４３】
図５の工程（Ａ２）において、制御部２５は、遮光両面テープ１６の輪郭点の座標及び中心点の座標を算出し、遮光両面テープ１６の輪郭点の座標及び中心点の座標を記憶部２６に記憶する。図５の工程（Ａ２）において、制御部２５は、プリズムシート１５の基準輪郭点の座標及び基準中心点の座標に基づいて、遮光両面テープ１６の輪郭点の座標及び中心点の座標を修正し、修正した各座標を遮光両面テープ１６の輪郭点の修正座標及中心点の修正座標として記憶部２６に記憶する。図５の工程（Ａ２）において、貼付部２１は、遮光両面テープ１６の中心点の座標と遮光両面テープ１６の中心点の修正座標とが一致するように、遮光両面テープ１６の中心点の位置を調整する。図５の工程（Ａ２）において、貼付部２１は、遮光両面テープ１６の輪郭点の座標と遮光両面テープ１６の輪郭点の
修正座標とが一致するように、遮光両面テープ１６の輪郭点の位置を調整する。図５の工程（Ａ２）の他の点については、上記と同様である。図５の工程（Ａ３）については、上記と同様である。
【００４４】
図８は、プリズムシート１５と遮光両面テープ１６を貼り付ける工程の説明図である。図８の工程（Ｂ１）〜工程（Ｂ３）では、遮光両面テープ１６の位置の調整を行った後、プリズムシート１５の位置の調整を行い、プリズムシート１５と遮光両面テープ１６を貼り付ける。図８に示す例では、撮像部２２が複数のカメラ３１を有する。
【００４５】
図８の工程（Ｂ１）において、貼付部２１は、遮光両面テープ１６を把持した状態で、遮光両面テープ１６を所定位置に配置し、カメラ３１は、遮光両面テープ１６を遮光両面テープ１６の厚み方向から撮像する。図８に示す例では、カメラ３１は、遮光両面テープ１６を遮光両面テープ１６の下面側から撮像する。遮光両面テープ１６の下面は、遮光両面テープ１６におけるプリズムシート１５との接触面である。カメラ３１によって撮像された遮光両面テープ１６の撮像データは、記憶部２６に記憶される。例えば、平面視で、遮光両面テープ１６が四角形の開口を有する額縁形状である場合、４台のカメラ３１が遮光両面テープ１６の開口における四角形の各頂点を含む領域のそれぞれを撮像してもよい。図８に示す例に限らず、１台のカメラ３１が遮光両面テープ１６を撮像してもよい。図５に示す例と同様の方法により、制御部２５は、遮光両面テープ１６の輪郭点の座標及び中心点の座標を算出し、貼付部２１は、遮光両面テープ１６の中心点の位置及び輪郭点の位置を調整する。また、図５に示す例と同様、遮光両面テープ１６の輪郭点の座標と遮光両面テープ１６の基準輪郭点の座標とが一致しており、かつ、遮光両面テープ１６の中心点の座標と遮光両面テープ１６の基準中心点の座標とが一致するまで、遮光両面テープ１６の撮像及び位置の調整が繰り返される。更に、図５に示す例と同様、遮光両面テープ１６の輪郭点の座標と遮光両面テープ１６の基準輪郭点の座標とが一致又は近似しており、かつ、遮光両面テープ１６の中心点の座標と遮光両面テープ１６の基準中心点の座標とが一致又は近似するまで、遮光両面テープ１６の撮像及び位置の調整を繰り返してもよい。
【００４６】
図８の工程（Ｂ２）において、貼付部２１は、プリズムシート１５を把持した状態で、プリズムシート１５を所定位置に配置し、カメラ３１は、プリズムシート１５をプリズムシート１５の厚み方向から撮像する。図８に示す例では、プリズムシート１５と遮光両面テープ１６とが重なるようにプリズムシート１５が配置される。図８に示す例では、カメラ３１は、プリズムシート１５をプリズムシート１５の下面側から撮像する。プリズムシート１５の下面は、プリズムシート１５における遮光両面テープ１６との接触面の反対面である。カメラ３１によって撮像されたプリズムシート１５の撮像データは、記憶部２６に記憶される。図５に示す例と同様の方法により、制御部２５は、プリズムシート１５の輪郭点の座標及び中心点の座標を算出し、貼付部２１は、プリズムシート１５の中心点の位置及び輪郭点の位置を調整する。また、図５に示す例と同様、プリズムシート１５の輪郭点の座標とプリズムシート１５の基準輪郭点の座標とが一致しており、かつ、プリズムシート１５の中心点の座標とプリズムシート１５の基準中心点の座標とが一致するまで、プリズムシート１５の撮像及び位置の調整が繰り返される。更に、図５に示す例と同様、プリズムシート１５の輪郭点の座標とプリズムシート１５の基準輪郭点の座標とが一致又は近似しており、かつ、プリズムシート１５の中心点の座標とプリズムシート１５の基準中心点の座標とが一致又は近似するまで、プリズムシート１５の撮像及び位置の調整を繰り返してもよい。
【００４７】
図８の工程（Ｂ３）において、貼付部２１は、プリズムシート１５の厚み方向へのプリズムシート１５の移動及び遮光両面テープ１６の厚み方向への遮光両面テープ１６の移動の少なくとも一方を行うことにより、プリズムシート１５と遮光両面テープ１６を貼り付ける。
【００４８】
図８の工程（Ｂ１）〜工程（Ｂ３）によれば、プリズムシート１５の位置及び遮光両面テープ１６の位置を調整して、プリズムシート１５と遮光両面テープ１６を貼り付けるため、プリズムシート１５と遮光両面テープ１６との貼り合わせ精度が向上する。これにより、遮光両面テープ１６の幅が小さい場合であっても、プリズムシート１５と遮光両面テープ１６を高い精度で貼り付けることが可能であり、プリズムシート１５と遮光両面テープ１６を貼り付ける位置のずれが抑制され、面光源装置１における光漏れの発生が抑制される。
【００４９】
図８を参照して、プリズムシート１５の位置及び遮光両面テープ１６の位置を調整して、プリズムシート１５と遮光両面テープ１６を貼り付ける例を説明した。この例に限定されず、遮光両面テープ１６の位置を調整して、プリズムシート１５と遮光両面テープ１６を貼り付けてもよい。以下、遮光両面テープ１６の位置を調整して、プリズムシート１５と遮光両面テープ１６を貼り付ける例について説明する。図８の工程（Ｂ１）において、制御部２５は、遮光両面テープ１６の輪郭点の座標及び中心点の座標を算出し、算出した各座標を遮光両面テープ１６の基準輪郭点の座標及び基準中心点の座標として記憶部２６に記憶する。図８の工程（Ｂ１）の他の点については、上記と同様である。
【００５０】
図８の工程（Ｂ２）において、制御部２５は、プリズムシート１５の輪郭点の座標及び中心点の座標を算出し、プリズムシート１５の輪郭点の座標及び中心点の座標を記憶部２６に記憶する。図８の工程（Ｂ２）において、制御部２５は、遮光両面テープ１６の基準輪郭点の座標及び基準中心点の座標に基づいて、プリズムシート１５の輪郭点の座標及び中心点の座標を修正し、修正した各座標をプリズムシート１５の輪郭点の修正座標及中心点の修正座標として記憶部２６に記憶する。図８の工程（Ｂ２）において、貼付部２１は、プリズムシート１５の中心点の座標とプリズムシート１５の中心点の修正座標とが一致するように、プリズムシート１５の中心点の位置を調整する。図８の工程（Ｂ２）において、貼付部２１は、プリズムシート１５の輪郭点の座標とプリズムシート１５の輪郭点の修正座標とが一致するように、プリズムシート１５の輪郭点の位置を調整する。図８の工程（Ｂ２）の他の点については、上記と同様である。図８の工程（Ｂ３）については、上記と同様である。
【００５１】
図５に示す例と図８に示す例とを組み合わせてもよい。例えば、複数のカメラ３１を、プリズムシート１５の上面側及び遮光両面テープ１６の上面側に配置するとともに、複数のカメラ３１を、プリズムシート１５の下面側及び遮光両面テープ１６の下面側に配置してもよい。複数のカメラ３１が、プリズムシート１５の上面側からプリズムシート１５を撮像すると共に、プリズムシート１５の下面側からプリズムシート１５を撮像してもよい。複数のカメラ３１が、遮光両面テープ１６の上面側から遮光両面テープ１６を撮像すると共に、遮光両面テープ１６の下面側から遮光両面テープ１６を撮像してもよい。
【００５２】
図９は、プリズムシート１５が貼り付けられた遮光両面テープ１６とフレーム１３を貼り付ける工程の説明図である。図９の工程（Ｃ１）〜工程（Ｃ３）では、フレーム１３の位置の調整を行った後、プリズムシート１５が貼り付けられた遮光両面テープ１６の位置の調整を行い、プリズムシート１５が貼り付けられた遮光両面テープ１６とフレーム１３を貼り付ける。図９に示す例では、撮像部２４が複数のカメラ３２を有する。図９に示す例では、フレーム１３は、導光板１１の側面を囲む枠体である。図９に示す例に限らず、フレーム１３は、導光板１１の側面を囲む枠体と、枠体が立設された底板とを有する箱体であってもよい。図９に示す例では、フレーム１３内に導光板１１、光源１２、拡散シート１４、ＦＰＣ１７及び固定部材１８が収容され、フレーム１３の底部に接着層４０を介して反射シート１９が貼り付けられている。なお、図９では、光源１２、ＦＰＣ１７及び固定部材１８の図示を省略している。
【００５３】
図９の工程（Ｃ１）において、貼付部２３は、フレーム１３を把持した状態で、フレーム１３を所定位置に配置し、カメラ３２は、フレーム１３をフレーム１３の厚み方向から撮像する。図９に示す例では、カメラ３２は、フレーム１３をフレーム１３の上面側から撮像する。フレーム１３の上面は、フレーム１３における遮光両面テープ１６との接触面であり、導光板１１の出光面と同じ方向を向いている。カメラ３２によって撮像されたフレーム１３の撮像データは、記憶部２６に記憶される。例えば、平面視で（フレーム１３の上面の法線方向から見て）、フレーム１３の外周部分が四角形である場合、４台のカメラ３２がフレーム１３の外周部分における四角形の各頂点を含む領域のそれぞれを撮像してもよい。図９に示す例に限らず、１台のカメラ３２がフレーム１３を撮像してもよい。
【００５４】
制御部２５は、記憶部２６からフレーム１３の撮像データを取得し、フレーム１３の形状に応じて、フレーム１３の輪郭点の座標を算出する。例えば、平面視で、フレーム１３の外周部分が四角形である場合、フレーム１３の輪郭点の座標は、フレーム１３の外周部分における四角形の各頂点の座標であってもよい。制御部２５は、フレーム１３の輪郭点の座標からフレーム１３の中心点の座標を算出する。制御部２５は、フレーム１３の複数の輪郭点の座標の平均値をフレーム１３の中心点の座標として算出してもよい。例えば、平面視で、フレーム１３の外周部分が四角形である場合、フレーム１３の中心点の座標は、フレーム１３の外周部分における四角形の各頂点の座標の平均値であってもよい。記憶部２６には、フレーム１３の基準輪郭点の座標と、フレーム１３の基準中心点の座標とが予め記憶されている。フレーム１３の基準輪郭点の座標及び基準中心点の座標は、フレーム１３を所定位置に正確に配置するための座標である。貼付部２３は、フレーム１３の中心点の座標とフレーム１３の基準中心点の座標とが一致するように、フレーム１３の中心点の位置を調整する。貼付部２３は、フレーム１３をフレーム１３の平面方向に動かすことにより、フレーム１３の中心点の位置を調整する。貼付部２３は、フレーム１３の輪郭点の座標とフレーム１３の基準輪郭点の座標とが一致するように、フレーム１３の輪郭点の位置を調整する。貼付部２３は、フレーム１３をフレーム１３の平面方向に動かすことにより、フレーム１３の輪郭点の位置を調整する。フレーム１３の平面方向は、フレーム１３の厚み方向と直交する。図６及び図７に示すプリズムシート１５の輪郭点の位置の調整と同様の方法によって、フレーム１３の輪郭点の位置を調整してもよい。
【００５５】
フレーム１３の中心点の位置及び輪郭点の位置が調整された後、カメラ３２は、フレーム１３を撮像し、制御部２５は、フレーム１３の輪郭点の座標及び中心点の座標を算出する。制御部２５は、フレーム１３の輪郭点の座標とフレーム１３の基準輪郭点の座標とが一致しているか否かを判定する。制御部２５は、フレーム１３の中心点の座標とフレーム１３の基準中心点の座標とが一致しているか否かを判定する。フレーム１３の輪郭点の座標とフレーム１３の基準輪郭点の座標とが一致しており、かつ、フレーム１３の中心点の座標とフレーム１３の基準中心点の座標とが一致している場合、図９の工程（Ｃ２）に進む。一方、フレーム１３の輪郭点の座標とフレーム１３の基準輪郭点の座標とが一致していない場合や、フレーム１３の中心点の座標とフレーム１３の基準中心点の座標とが一致していない場合、貼付部２３は、フレーム１３の中心点の位置及び輪郭点の位置を再調整する。このように、フレーム１３の輪郭点の座標とフレーム１３の基準輪郭点の座標とが一致しており、かつ、フレーム１３の中心点の座標とフレーム１３の基準中心点の座標とが一致するまで、フレーム１３の撮像及び位置の調整が繰り返される。
【００５６】
フレーム１３の輪郭点の座標とフレーム１３の基準輪郭点の座標との一致度に対して許容範囲を設けてもよい。例えば、制御部２５は、フレーム１３の中心点の座標とフレーム１３の基準中心点の座標とが一致又は近似しているか否かを判定してもよい。フレーム１３の中心点の座標とフレーム１３の基準中心点の座標との一致度に対して許容範囲を設けてもよい。例えば、制御部２５は、フレーム１３の中心点の座標とフレーム１３の基準中
心点の座標とが一致又は近似しているか否かを判定してもよい。この場合、フレーム１３の輪郭点の座標とフレーム１３の基準輪郭点の座標とが一致又は近似しており、かつ、フレーム１３の中心点の座標とフレーム１３の基準中心点の座標とが一致又は近似するまで、フレーム１３の撮像及び位置の調整が繰り返される。
【００５７】
図９の工程（Ｃ２）において、貼付部２３は、プリズムシート１５が貼り付けられた遮光両面テープ１６を把持した状態で、遮光両面テープ１６を所定位置に配置し、カメラ３２は、遮光両面テープ１６を遮光両面テープ１６の厚み方向から撮像する。図９に示す例では、フレーム１３と遮光両面テープ１６とが重なるように遮光両面テープ１６が配置される。図９に示す例では、カメラ３２は、遮光両面テープ１６を遮光両面テープ１６の上面側から撮像する。遮光両面テープ１６の上面は、フレーム１３の上面と同じ方向を向いている。カメラ３２によって撮像された遮光両面テープ１６の撮像データは、記憶部２６に記憶される。
【００５８】
図５に示す例と同様の方法により、制御部２５は、遮光両面テープ１６の輪郭点の座標及び中心点の座標を算出し、貼付部２３は、遮光両面テープ１６の中心点の位置及び輪郭点の位置を調整する。例えば、平面視で、遮光両面テープ１６が四角形の開口を有する額縁形状である場合、遮光両面テープ１６の輪郭点の座標は、遮光両面テープ１６の開口における四角形の各頂点の座標であってもよい。また、例えば、平面視で、遮光両面テープ１６の外周部分が四角形である場合、遮光両面テープ１６の輪郭点の座標は、遮光両面テープ１６の外周部分における四角形の各頂点の座標であってもよい。また、図５に示す例と同様、遮光両面テープ１６の輪郭点の座標と遮光両面テープ１６の基準輪郭点の座標とが一致しており、かつ、遮光両面テープ１６の中心点の座標と遮光両面テープ１６の基準中心点の座標とが一致するまで、遮光両面テープ１６の撮像及び位置の調整が繰り返される。更に、図５に示す例と同様、遮光両面テープ１６の輪郭点の座標と遮光両面テープ１６の基準輪郭点の座標とが一致又は近似しており、かつ、遮光両面テープ１６の中心点の座標と遮光両面テープ１６の基準中心点の座標とが一致又は近似するまで、遮光両面テープ１６の撮像及び位置の調整を繰り返してもよい。
【００５９】
図９の工程（Ｃ３）において、貼付部２３は、フレーム１３の厚み方向へのフレーム１３の移動及び遮光両面テープ１６の厚み方向への遮光両面テープ１６の移動の少なくとも一方を行うことにより、プリズムシート１５が貼り付けられた遮光両面テープ１６とフレーム１３を貼り付ける。例えば、貼付部２３は、遮光両面テープ１６の厚み方向において、遮光両面テープ１６をフレーム１３に近づけることにより、フレーム１３と遮光両面テープ１６を貼り付けてもよい。例えば、貼付部２３は、フレーム１３の厚み方向において、フレーム１３を遮光両面テープ１６に近づけることにより、フレーム１３と遮光両面テープ１６を貼り付けてもよい。プリズムシート１５が貼り付けられた遮光両面テープ１６とフレーム１３を貼り付けることにより、面光源装置１が製造される。
【００６０】
フレーム１３と遮光両面テープ１６を貼り付ける際、プリズムシート１５の平面方向においてプリズムシート１５がずれていた場合、プリズムシート１５がフレーム１３の上面に載置される可能性がある。フレーム１３の内周部分に段差面が形成されている場合、フレーム１３の上面は、フレーム１３の内周部分に形成された段差面よりも高い。制御部２５は、フレーム１３の撮像データ、プリズムシート１５の撮像データ及び遮光両面テープ１６の撮像データに基づいて、プリズムシート１５がフレーム１３の上面に接触するか否かを判定してもよい。制御部２５の判定結果に応じて、貼付部２３が、フレーム１３の位置及び遮光両面テープ１６の位置の少なくとも一方を調整する。これにより、フレーム１３と遮光両面テープ１６を貼り付ける際、プリズムシート１５がフレーム１３の上面に載置されるのを回避できる。
【００６１】
図９の工程（Ｃ１）〜工程（Ｃ３）によれば、フレーム１３の位置及び遮光両面テープ１６の位置を調整して、フレーム１３と遮光両面テープ１６を貼り付けるため、フレーム１３と遮光両面テープ１６との貼り合わせ精度が向上する。これにより、フレーム１３の幅が小さい場合や、遮光両面テープ１６の幅が小さい場合であっても、遮光両面テープ１６をフレーム１３に高い精度で貼り付けることが可能であり、フレーム１３と遮光両面テープ１６を貼り付ける位置のずれが抑制される。また、フレーム１３と遮光両面テープ１６を貼り付けることで、拡散シート１４上にプリズムシート１５が載置されるため、拡散シート１４上にプリズムシート１５を載せる位置の精度が向上し、拡散シート１４上にプリズムシート１５を載せる位置のずれが抑制される。拡散シート１４上にプリズムシート１５を載せる位置のずれが抑制されると共に、遮光両面テープ１６を貼り付ける位置のずれが抑制されるため、面光源装置１における光漏れの発生が抑制される。
【００６２】
図９を参照して、フレーム１３の位置及び遮光両面テープ１６の位置を調整して、フレーム１３と遮光両面テープ１６を貼り付ける例を説明した。この例に限定されず、遮光両面テープ１６の位置を調整して、フレーム１３と遮光両面テープ１６を貼り付けてもよい。以下、遮光両面テープ１６の位置を調整して、フレーム１３と遮光両面テープ１６を貼り付ける例について説明する。図９の工程（Ｃ１）において、制御部２５は、フレーム１３の輪郭点の座標及び中心点の座標を算出し、算出した各座標をフレーム１３の基準輪郭点の座標及び基準中心点の座標として記憶部２６に記憶する。図９の工程（Ｃ１）の他の点については、上記と同様である。
【００６３】
図９の工程（Ｃ２）において、制御部２５は、遮光両面テープ１６の輪郭点の座標及び中心点の座標を算出し、遮光両面テープ１６の輪郭点の座標及び中心点の座標を記憶部２６に記憶する。図９の工程（Ｃ２）において、制御部２５は、フレーム１３の基準輪郭点の座標及び基準中心点の座標に基づいて、遮光両面テープ１６の輪郭点の座標及び中心点の座標を修正し、修正した各座標を遮光両面テープ１６の輪郭点の修正座標及中心点の修正座標として記憶部２６に記憶する。図９の工程（Ｃ２）において、貼付部２１は、遮光両面テープ１６の中心点の座標と遮光両面テープ１６の中心点の修正座標とが一致するように、遮光両面テープ１６の中心点の位置を調整する。図９の工程（Ｃ２）において、貼付部２１は、遮光両面テープ１６の輪郭点の座標と遮光両面テープ１６の輪郭点の修正座標とが一致するように、遮光両面テープ１６の輪郭点の位置を調整する。図９の工程（Ｃ２）の他の点については、上記と同様である。図９の工程（Ｃ３）については、上記と同様である。
【００６４】
図１０は、プリズムシート１５が貼り付けられた遮光両面テープ１６とフレーム１３を貼り付ける工程の説明図である。図１０の工程（Ｄ１）〜工程（Ｄ３）では、プリズムシート１５が貼り付けられた遮光両面テープ１６の位置の調整を行った後、フレーム１３の位置の調整を行い、プリズムシート１５が貼り付けられた遮光両面テープ１６とフレーム１３を貼り付ける。図１０に示す例では、撮像部２４が複数のカメラ３２を有する。図１０に示す例では、フレーム１３は、導光板１１の側面を囲む枠体と、枠体が立設された底板とを有する箱体である。図１０に示す例では、フレーム１３内に導光板１１、光源１２、拡散シート１４、ＦＰＣ１７、固定部材１８及び反射シート１９が収容されている。なお、図１０では、光源１２、ＦＰＣ１７及び固定部材１８の図示を省略している。図１０に示す例に限らず、フレーム１３は、導光板１１の側面を囲む枠体であってもよい。フレーム１３が、導光板１１の側面を囲む枠体である場合、反射シート１９のサイズをフレーム１３のサイズよりも小さくすることにより、カメラ３２によってフレーム１３が撮像されるようにする。
【００６５】
図１０の工程（Ｄ１）において、貼付部２３は、プリズムシート１５が貼り付けられた遮光両面テープ１６を把持した状態で、遮光両面テープ１６を所定位置に配置し、カメラ
３２は、遮光両面テープ１６を遮光両面テープ１６の厚み方向から撮像する。図１０に示す例では、カメラ３２は、遮光両面テープ１６を遮光両面テープ１６の下面側から撮像する。カメラ３２によって撮像された遮光両面テープ１６の撮像データは、記憶部２６に記憶される。例えば、平面視で、遮光両面テープ１６の外周部分が四角形である場合、４台のカメラ３２が遮光両面テープ１６の外周部分における四角形の各頂点を含む領域のそれぞれを撮像してもよい。図１０に示す例に限らず、１台のカメラ３２が遮光両面テープ１６を撮像してもよい。
【００６６】
図５に示す例と同様の方法により、制御部２５は、遮光両面テープ１６の輪郭点の座標及び中心点の座標を算出し、貼付部２１は、遮光両面テープ１６の中心点の位置及び輪郭点の位置を調整する。例えば、平面視で、遮光両面テープ１６の外周部分が四角形である場合、遮光両面テープ１６の輪郭点の座標は、遮光両面テープ１６の外周部分における四角形の各頂点の座標であってもよい。また、図５に示す例と同様、遮光両面テープ１６の輪郭点の座標と遮光両面テープ１６の基準輪郭点の座標とが一致しており、かつ、遮光両面テープ１６の中心点の座標と遮光両面テープ１６の基準中心点の座標とが一致するまで、遮光両面テープ１６の撮像及び位置の調整が繰り返される。更に、図５に示す例と同様、遮光両面テープ１６の輪郭点の座標と遮光両面テープ１６の基準輪郭点の座標とが一致又は近似しており、かつ、遮光両面テープ１６の中心点の座標と遮光両面テープ１６の基準中心点の座標とが一致又は近似するまで、遮光両面テープ１６の撮像及び位置の調整を繰り返してもよい。
【００６７】
図１０の工程（Ｄ２）において、貼付部２３は、フレーム１３を把持した状態で、フレーム１３を所定位置に配置し、カメラ３２は、フレーム１３をフレーム１３の厚み方向から撮像する。図１０に示す例では、フレーム１３と遮光両面テープ１６とが重なるようにフレーム１３が配置される。図１０に示す例では、カメラ３２は、フレーム１３をフレーム１３の下面側から撮像する。フレーム１３の下面は、フレーム１３における遮光両面テープ１６との接触面の反対面である。カメラ３２によって撮像されたフレーム１３の撮像データは、記憶部２６に記憶される。例えば、フレーム１３の下面の法線方向から見て、フレーム１３の外周部分が四角形である場合、４台のカメラ３２がフレーム１３の外周部分における四角形の各頂点を含む領域のそれぞれを撮像してもよい。図１０に示す例に限らず、１台のカメラ３２がフレーム１３を撮像してもよい。
【００６８】
図９に示す例と同様の方法により、制御部２５は、フレーム１３の輪郭点の座標及び中心点の座標を算出し、貼付部２３は、フレーム１３の中心点の位置及び輪郭点の位置を調整する。例えば、フレーム１３の下面の法線方向から見て、フレーム１３の外周部分が四角形である場合、フレーム１３の輪郭点の座標は、フレーム１３の外周部分における四角形の各頂点の座標であってもよい。また、図９に示す例と同様、フレーム１３の輪郭点の座標とフレーム１３の基準輪郭点の座標とが一致しており、かつ、フレーム１３の中心点の座標とフレーム１３の基準中心点の座標とが一致するまで、フレーム１３の撮像及び位置の調整が繰り返される。更に、図９に示す例と同様、フレーム１３の輪郭点の座標とフレーム１３の基準輪郭点の座標とが一致又は近似しており、かつ、フレーム１３の中心点の座標とフレーム１３の基準中心点の座標とが一致又は近似するまで、フレーム１３の撮像及び位置の調整を繰り返してもよい。
【００６９】
図１０の工程（Ｄ３）において、貼付部２３は、フレーム１３の厚み方向へのフレーム１３の移動及び遮光両面テープ１６の厚み方向への遮光両面テープ１６の移動の少なくとも一方を行うことにより、プリズムシート１５が貼り付けられた遮光両面テープ１６とフレーム１３を貼り付ける。例えば、貼付部２３は、遮光両面テープ１６の厚み方向において、遮光両面テープ１６をフレーム１３に近づけることにより、フレーム１３と遮光両面テープ１６を貼り付けてもよい。例えば、貼付部２３は、フレーム１３の厚み方向におい
て、フレーム１３を遮光両面テープ１６に近づけることにより、フレーム１３と遮光両面テープ１６を貼り付けてもよい。プリズムシート１５が貼り付けられた遮光両面テープ１６とフレーム１３を貼り付けることにより、面光源装置１が製造される。
【００７０】
図１０の工程（Ｄ１）〜工程（Ｄ３）によれば、フレーム１３の位置及び遮光両面テープ１６の位置を調整して、フレーム１３と遮光両面テープ１６を貼り付けるため、フレーム１３と遮光両面テープ１６との貼り合わせ精度が向上する。これにより、フレーム１３の幅が小さい場合や、遮光両面テープ１６の幅が小さい場合であっても、遮光両面テープ１６をフレーム１３に高い精度で貼り付けることが可能であり、フレーム１３と遮光両面テープ１６を貼り付ける位置のずれが抑制される。また、フレーム１３と遮光両面テープ１６を貼り付けることで、拡散シート１４上にプリズムシート１５が載置されるため、拡散シート１４上にプリズムシート１５を載せる位置の精度が向上し、拡散シート１４上にプリズムシート１５を載せる位置のずれが抑制される。拡散シート１４上にプリズムシート１５を載せる位置のずれが抑制されると共に、遮光両面テープ１６を貼り付ける位置のずれが抑制されるため、面光源装置１における光漏れの発生が抑制される。
【００７１】
図１０を参照して、フレーム１３の位置及び遮光両面テープ１６の位置を調整して、フレーム１３と遮光両面テープ１６を貼り付ける例を説明した。この例に限定されず、フレーム１３の位置を調整して、フレーム１３と遮光両面テープ１６を貼り付けてもよい。以下、フレーム１３の位置を調整して、フレーム１３と遮光両面テープ１６を貼り付ける例について説明する。図１０の工程（Ｄ１）において、制御部２５は、遮光両面テープ１６の輪郭点の座標及び中心点の座標を算出し、算出した各座標を遮光両面テープ１６の基準輪郭点の座標及び基準中心点の座標として記憶部２６に記憶する。図１０の工程（Ｄ１）の他の点については、上記と同様である。
【００７２】
図１０の工程（Ｄ２）において、制御部２５は、フレーム１３の輪郭点の座標及び中心点の座標を算出し、フレーム１３の輪郭点の座標及び中心点の座標を記憶部２６に記憶する。図１０の工程（Ｄ２）において、制御部２５は、遮光両面テープ１６の基準輪郭点の座標及び基準中心点の座標に基づいて、フレーム１３の輪郭点の座標及び中心点の座標を修正し、修正した各座標をフレーム１３の輪郭点の修正座標及び中心点の修正座標として記憶部２６に記憶する。図１０の工程（Ｄ２）において、貼付部２１は、フレーム１３の中心点の座標とフレーム１３の中心点の修正座標とが一致するように、フレーム１３の中心点の位置を調整する。図１０の工程（Ｄ２）において、貼付部２１は、フレーム１３の輪郭点の座標とフレーム１３の輪郭点の修正座標とが一致するように、フレーム１３の輪郭点の位置を調整する。図１０の工程（Ｄ２）の他の点については、上記と同様である。図１０の工程（Ｄ３）については、上記と同様である。
【００７３】
図９に示す例と図１０に示す例とを組み合わせてもよい。例えば、複数のカメラ３２を、フレーム１３の上面側及びプリズムシート１５が貼り付けられた遮光両面テープ１６の上面側に配置するとともに、複数のカメラ３１を、フレーム１３の下面側及びプリズムシート１５が貼り付けられた遮光両面テープ１６の下面側に配置してもよい。複数のカメラ３２が、フレーム１３の上面側からフレーム１３を撮像すると共に、フレーム１３の下面側からプリズムシート１５を撮像してもよい。複数のカメラ３２が、プリズムシート１５が貼り付けられた遮光両面テープ１６の上面側から遮光両面テープ１６を撮像すると共に、プリズムシート１５が貼り付けられた遮光両面テープ１６の下面側から遮光両面テープ１６を撮像してもよい。
【００７４】
図１１は、実施形態に係る面光源装置１を例示する平面図である。図１１の点線Ｂは、面光源装置１の中心線である。図１１の点線Ｃは、遮光両面テープ１６の開口の一辺を通る線であり、図１１の点線Ｄは、遮光両面テープ１６の開口の他の一辺を通る線である。
実施形態に係る製造システム２０によって製造された面光源装置１によれば、点線Ｂ及び点線Ｃの間隔Ａ１と、点線Ｂ及び点線Ｄの間隔Ａ２とについて、例えば、間隔Ａ１−間隔Ａ２＝±０．０５ｍｍを実現することが可能である。
【符号の説明】
【００７５】
１    面光源装置
２    表示パネル
３    フレーム
１１  導光板
１２  光源
１３  フレーム
１４  拡散シート
１５  プリズムシート
１６  遮光両面テープ
１７  ＦＰＣ
１８  固定部材
１９  反射シート
２０  製造システム
２１、２３  貼付部
２２、２４  撮像部
２５  制御部
２６  記憶部
３１、３２  カメラ
【図１】
2019110027.tif 000003
【図２】
2019110027.tif 000004
【図３】
2019110027.tif 000005
【図４】
2019110027.tif 000006
【図５】
2019110027.tif 000007
【図６】
2019110027.tif 000008
【図７】
2019110027.tif 000009
【図８】
2019110027.tif 000010
【図９】
2019110027.tif 000011
【図１０】
2019110027.tif 000012
【図１１】
2019110027.tif 000013
【図１２】
2019110027.tif 000014
【図１３】
2019110027.tif 000015
【図１４】
2019110027.tif 000016